(57)【要約】【課題】ロールペーパーを簡単容易に引き出して切断することができるトイレットペーパーホルダーを提供する。【解決手段】ホルダー本体１の支軸２にロールペーパー３を軸支し、このロールペーパー３から引き出したペーパー３ａを切断部４により切断するようになっているトイレットペーパーホルダーにおいて、  切断部４は、支軸２に軸支されるロールペーパー３の下端部よりも所定間隔をおいた下方位置でホルダー本体１に設けられてなる。【選択図】図２
0003191867.tif 000002
【実用新案登録請求の範囲】
【請求項１】
ホルダー本体の支軸にロールペーパーを軸支し、このロールペーパーから引き出したペーパーを切断部により切断するようになっているトイレットペーパーホルダーにおいて、
前記切断部は、前記支軸に軸支されるロールペーパーの下端部よりも所定間隔をおいた下方位置で前記ホルダー本体に設けられてなることを特徴とするトイレットペーパーホルダー。
【請求項２】
前記切断部は、切断部本体にて構成され、
前記切断部本体は、ロールペーパーから引き出したペーパーを下向きに挿通案内するスリットと、このスリットの下端開口縁部に沿って設けられた切断刃とを備えてなることを特徴とする請求項１に記載のトイレットペーパーホルダー。
【請求項３】
前記切断部本体は、後端部が前記ホルダー本体の背面板部に取り付けられて水平に保持される平板状枠部材からなり、この平板状枠部材の前端部に前記切断刃が設けられてなることを特徴とする請求項２に記載のトイレットペーパーホルダー。
【考案の詳細な説明】
【技術分野】
【０００１】
本考案は、トイレットペーパーホルダーに関するもので、ロールペーパーからペーパーの先端部を下方へ引き出して切断する方式のトイレットペーパーホルダーに関する。
【背景技術】
【０００２】
従来のトイレットペーパーホルダーとして、例えば特許文献１に記載のようなものが知られている。このトイレットペーパーホルダーは、図４に示すように、ホルダー本体２１に設けられた支軸２２にロールペーパー２３を軸支し、このロールペーパー２３から引き出したペーパーを、カバー２５の先端部に設けられた鋸歯状切断刃からなる切断部２４によって切断するようになっている。
【先行技術文献】
【特許文献】
【０００３】
【特許文献１】特開平６−３４３５７４号公報
【考案の概要】
【考案が解決しようとする課題】
【０００４】
しかしながら、上記従来のトイレットペーパーホルダーのようにカバー２５の先端部に設けられた切断部２４で切断すると、ロールペーパー２３の切断端部が切断部２４の裏側でロールペーパー３に密接した状態となるため、次に使用する時は、ロールペーパー３を手で回したり、カバー２５を持ち上げて、ロールペーパー２３に密接した切断端部を摘んで引き出したりしなければならず、またロールペーパー２３の材質によっては、摘み出し難くなって、その作業が非常に面倒であった。
【０００５】
そこで本考案は、上記の課題に鑑み、使用にあたりロールペーパーを所要長さ引き出して切断すると、ロールペーパーの外径部分の前端から下方へ引き出された位置でロールペーパーを切断することができ、次に使用する時には、その下方へ引き出されたロールペーパーの左右端部に摘まみ部分ができるため、ロールペーパーを簡単容易に引き出して切断できるトイレットペーパーホルダーを提供することを目的とする。
【課題を解決するための手段】
【０００６】
上記課題を解決するための手段を、後述する実施形態の参照番号を付して説明すると、請求項１に係る考案は、ホルダー本体１の支軸２にロールペーパー３を軸支し、このロールペーパー３から引き出したペーパー３ａを切断部４により切断するようになっているトイレットペーパーホルダーにおいて、
前記切断部４は、前記支軸２に軸支されるロールペーパー３の下端部よりも所定間隔をおいた下方位置で前記ホルダー本体１に設けられてなることを特徴とする。
【０００７】
請求項２は、請求項１に記載のトイレットペーパーホルダーにおいて、前記切断部４は、切断部本体９にて構成され、
前記切断部本体９は、ロールペーパー３から引き出したペーパー３ａを下向きに挿通案内するスリット１０と、このスリット１０の下端開口縁部に沿って設けられた切断刃１１とを備えてなることを特徴とする。
【０００８】
請求項３は、請求項２に記載のトイレットペーパーホルダーにおいて、前記切断部本体９は、後端部が前記ホルダー本体１の背面板部５に取り付けられて水平に保持される平板状枠部材１３からなり、この平板状枠部材１３の前端部に前記切断刃１１が設けられてなることを特徴とする。
【考案の効果】
【０００９】
上記解決手段による考案の効果を、後述する実施形態の参照番号を付して説明すると、請求項１に係る考案のトイレットペーパーホルダーによれば、ロールペーパー３を引き出して切断すると、切断部４より上方の左右側端部に引き出したペーパー３ａの摘まみ部分３ａｏができるから、ロールペーパー３の使用時は、ロールペーパー３から引き出したペーパー３ａの摘まみ部分３ａｏを摘んで、所要長さ引き出すことにより簡単に切断することができる。そして、次に使用する時には、切断部４で切断したペーパー３ａの切断端部が、切断部４に引っ掛かった状態にあっても、前記ペーパー３ａの摘まみ部分３ａｏを摘んで引き下げることで、前記ペーパー３ａを簡単容易に所要長さ引き出して切断することができる。
【００１０】
請求項２に係る考案のトイレットペーパーホルダーによれば、切断部４は、切断部本体９にて構成され、その切断部本体９は、ロールペーパー３から引き出したペーパー３ａを下向きに挿通案内するスリット１０と、このスリット１０の下端開口縁部に沿って設けられた切断刃１１とから構成されるため、ロールペーパー３から引き出したペーパー３ａをスリット１０に挿通案内することによって、ペーパー３ａの切断を的確に行うことができる。
【００１１】
請求項３に係る考案のトイレットペーパーホルダーによれば、切断部本体９は、後端部がホルダー本体１の背面板部５に取り付けられて水平に保持される平板状枠部材１３からなり、この平板状枠部材１３の前端部に前記切断刃１１が設けられる構成であるため、コンパクトな構造になると共に、ホルダー本体１への切断部本体９の取り付けが簡単容易となり、加えて外観状の体裁も良好となる。
【図面の簡単な説明】
【００１２】
【図１】本考案に係るトイレットペーパーホルダーの正面図である。
【図２】図１のＸ−Ｘ線断面図である。
【図３】同上のトイレットペーパーホルダーの平面図である。
【図４】従来のトイレットペーパーホルダーの一例を示す斜視図である。
【考案を実施するための形態】
【００１３】
以下に本考案に係るトイレットペーパーホルダーの好適な実施形態について図面を参照しながら説明する。
【００１４】
本考案に係るトイレットペーパーホルダーを示す図１〜図３において、１はホルダー本体であり、２はロールペーパー３を軸支する支軸である。４は支軸２に軸支されたロールペーパー３から引き出したペーパー３ａを所要長さに切断する切断部であり、この切断部４は、図２に示すように、支軸２に軸支されたロールペーパー３の下端部よりも下方位置で且つロールペーパーの前端部寄りの位置に設けられている。
【００１５】
前記ホルダー本体１は、図２及び図３に示すように、背面板部５と、この背面板部５の左右両端から前方へ突出する左右の側板部６，６と、背面板部５の上端から前方へ突出するカバー板部７とからなる。そして左右の側板部６，６には、図１〜図３に示すように、ロールペーパー３の紙管８にその両端から突入してこの紙管８を回転自在に支持する一対の支軸２，２が設けられている。このホルダー本体１の背面板部５と左右の側板部６，６とカバー板部７は、合成樹脂で一体成形することによって、安価で軽量なものにすることができる。
【００１６】
前記一対の支軸２，２は、図示は省略するが、常時は側板部６，６から対向方向に突出した状態にバネを介して付勢させ、各支軸２の先端部側をホルダー本体１の前部側から背面板部５に向かう水平方向に押すことにより、一対の支軸２，２がバネ付勢力に抗して図３の平面図に関して略ハの字状に屈折傾倒し得る構造にしたり、あるいは各支軸２を伸縮可能な構造として、常時は両支軸２，２を側板部６，６から対向方向に突出した伸張状態にバネを介して付勢させ、バネ付勢力に抗して各支軸２の先端部を軸方向に押すことにより収縮する構造にすることができる。このような構造にすることで、ロールペーパー３をホルダー本体１内に前部側から押し込んで支軸２，２に簡単に軸支させることができる。尚、支軸２としては、１本の支軸を、ホルダー本体１の側板部６，６に設けた軸受部に対し着脱可能に取り付けるようにしたものでもよい。
【００１７】
前記切断部４は、図２に示すように、切断部本体９にて構成され、この切断部本体９には、ロールペーパー３から引き出したペーパー３ａを下向きに挿通案内するスリット１０と、このスリット１０の下端開口縁部に沿って設けられた鋸歯状の切断刃１１とが設けられている。なお、この鋸歯状の切断刃１１は、図２から分かるように、内側の下端開口縁部と外側の下端開口縁部とに夫々形成されているが、外側の下端開口縁部にのみ形成されてもよい。
【００１８】
前記切断部本体９は、具体的には、図１〜図３に示すように、後端部１３ａがホルダー本体１の背面板部５に対し例えば両面粘着テープ１２又は接着材により取り付けられて水平に保持される平板状枠部材１３からなるもので、この平板状枠部材１３の前端部に切断刃１１が設けられている。
【００１９】
前記平板状枠部材１３は、図１に示すようにホルダー本体１の左右の側板部６，６の内法幅よりも僅かに小さい横幅寸法と、図２に示すように側板部６の奥行きより大きい奥行き寸法を有するように形成されている。しかして、ホルダー本体１への取り付けにあたっては、この平板状枠部材１３を水平状態で左右の側板部６，６間に挿入して、その後端部１３ａを両面粘着テープ１２又は接着材で背面板部５に取り付ければよい。なお、この平板状枠部材１３も、背面板部５と左右の側板部６，６とカバー板部７と同様、合成樹脂で一体成形することによって、安価で軽量なものにすることができる。
【００２０】
ところで、切断部４を取り付けたホルダー本体１をトイレの壁部Ｗに設置するには、図２及び図３に示すように、背面板部５を壁部Ｗに当接させて、その複数箇所からビス１４を壁部Ｗにねじ込めばよい。
【００２１】
次に、上記のように構成される実施形態のトイレットペーパーホルダーの作用について説明する。
【００２２】
先ず、ホルダー本体１にロールペーパー３を装着する。この装着にあたっては、ロールペーパー３をホルダー本体１の前部側からその内奥部に向かって水平に押し込むと、例えば、支軸２，２が図３に示す状態から略ハの字状に屈折傾倒することによって、ロールペーパー３を支軸２，２に軸支させる。こうしてホルダー本体１に装着したロールペーパー３の先端部を引き出して、その引き出したペーパー３ａを、スリット１０にその上方より挿通する。
【００２３】
上記のようにロールペーパー３から引き出したペーパー３ａをスリット１０に挿通させると、図１に示すように、切断部４より上方の左右側端部に前記ペーパー３ａの摘まみ部分３ａｏができる。しかして、ロールペーパー３を使用する時には、このロールペーパー３から引き出したペーパー３ａの摘まみ部分３ａｏを摘んで、ペーパー３ａの先端部がスリット１０から下方へ出るように引き下げれば、あとはスリット１０から下方へ出たペーパー３ａの先端部を所要長さ下方へ引き出して、図２に示す矢印Ｈ方向（手前方向）へ引っ張れば、スリット１０の外側の下端開口縁部にある鋸歯状の切断刃１１によって、ペーパー３ａを所要長さに切断して取り出すことができる。
【００２４】
尚、前記スリット１０に挿通したペーパー３ａは、図２を参照すれば、スリット１０の内側の下端開口縁部にある鋸歯状の切断刃１１に当て付けて、同図に示す矢印Ｈ方向（手前方向）と反対方向へ引っ張っても、切断できるが、トイレ使用時は、使用者にとって操作し難いことから、図２に示すようにペーパー３ａをスリット１０の外側の下端開口縁部にある鋸歯状の切断刃１１に当て付けて図２の矢印Ｈ方向（手前方向）へ引っ張り切断する方が好ましい。
【００２５】
そして、次に使用する時には、切断刃１１で切断したペーパー３ａの切断端部がスリット１０の下端部の切断刃１１に引っ掛かった状態にあっても、上記のように、ロールペーパー３から引き出したペーパー３ａの摘まみ部分３ａｏを摘んで引き下げることによって、ペーパー３ａを簡単容易に所要長さ引き出して切断することができる。
【００２６】
上述した実施形態において、切断部４は、切断部本体９にて構成され、この切断部本体９には、ロールペーパー３から引き出したペーパー３ａを下向きに挿通案内するスリット１０と、このスリット１０の下端開口縁部に沿って設けられた切断刃１１とが設けられているが、必ずしもスリット１０を設ける必要はなく、切断部本体９の所要部に切断刃を設けるだけでもよい。しかしながら、この実施形態のようにスリット１０を設けた場合には、ロールペーパー３から引き出したペーパー３ａを下向きに挿通案内することによって、ペーパー３ａの切断を的確に行うことができる。
【００２７】
また、上述した実施形態においては、切断部本体９が、後端部がホルダー本体１の背面板部５に取り付けられて水平に保持される平板状枠部材１３からなるもので、この平板状枠部材１３の前端部に前記切断刃１１を設けたものとしているが、切断部本体９は平板状枠部材１３に限るものではなく、例えば、ホルダー本体１の左右の側板部６，６の先端部どうしをつなぐように支軸２と平行に位置し且つ支軸２に軸支されるロールペーパー３の下端部よりも下方に位置するような枠部材を設け、この枠部材の下端縁に沿って切断刃を設けたものでもよい。しかしながら、この実施形態のように平板状枠部材１３として、この平板状枠部材１３の後端部をホルダー本体１の背面板部５に取り付けて水平に保持し、この平板状枠部材１３の前端部に前記切断刃１１を設けるようにすれば、切断部本体９がコンパクトな構造になると共に、ホルダー本体１への切断部本体９の取り付けが簡単容易となり、加えて外観状の体裁も良好となる。
【００２８】
また、上述した実施形態では、切断部本体９は、ホルダー本体１に対し一体的に、即ち両面粘着テープ１２等で接着することにより一体的に設けたものであるが、この切断部本体９は、ホルダー本体１と合成樹脂で一体成形することによって、ホルダー本体１と一体形成してもよい。但し、実施形態のように切断部本体９をホルダー本体１と一体的に設ける方が、製作が容易で、コストを安くすることができる。
【符号の説明】
【００２９】
１            ホルダー本体
２            支軸
３            ロールペーパー
３ａ          ロールペーパーから引き出したペーパー
４            切断部
９            切断部本体
１０          スリット
１１          切断刃
１３          平板状枠部材
【図１】
0003191867.tif 000003
【図２】
0003191867.tif 000004
【図３】
0003191867.tif 000005
【図４】
0003191867.tif 000006